【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
特に発射装置の第１段階のためのロケットエンジンのノズルであって、燃焼室（４）で生じた熱ガスを受取る収れん部分（３）と、小さな断面（Ｓｏ）のノズルのど（２）と、ノズルのど（２）に連結され高い断面比（ε＝Ｓｅ／Ｓｏ）を区画形成するガス出口断面（Ｓｅ）により下流側端部（１０１）で終わる分岐部分（１）とを具備し、該分岐部分（１）がノズルのど（２）に連結された外側分岐部分（１０）と、該外側分岐部分（１０）の断面より小さい出口断面を有し且つ該外側分岐部分（１０）に係合し且つ連結手段（３０，３１，３２）により該外側分岐部分（１０）に連結された少なくとも１つの内側分岐部分（１１，１２，１３）とを有し、前記連結手段（３０，３１，３２）が前記内側分岐部分（１１，１２，１３）を燃焼室の作動中の所定の瞬間に分離し放出してロケットエンジンの所定の高度に対応できるように該連結手段を選択的に破壊する手段と結合されているロケットエンジンのノズルにおいて、
前記内側分岐部分が前記外側分岐部分と同心に且つ該内側分岐部分をスタートさせ又は噴出させる一時的な段階の間、前記外側分岐部分（１０）を強化するように該外側分岐部分（１０）の内側に配設された少なくとも第１のインサート（１１）を有し、該第１のインサート（１１）が平均比重が約０．２から約０．４の範囲となるように該第１のインサートが補強構造（５２，５５）と燃焼室で生じた熱ガスを受ける前記第１のインサート（１１）の内壁（１１１）を区画形成する耐火性材料（５３）とに結合された多孔質の充填材料（５１）を有し、前記外側分岐部分（１０）に伝達される力を制限するよう前記第１のインサート（１１）と該外側分岐部分（１０）との間に圧力制限手段（２１）が介挿され、前記第１のインサート（１１）が選択的な切り離し手段（３０１）と結合された堅い固定手段（３０）によって前記外側分岐部分（１０）に固定されていることを特徴とするロケットエンジンのノズル。
【請求項２】
前記第１のインサート（１１）が円筒形の内壁（１１１）を有することを特徴とする請求項１に記載のノズル。
【請求項３】
前記第１のインサート（１１）が流線形の内壁（１１１）を有することを特徴とする請求項１に記載のノズル。
【請求項４】
前記内側分岐部分が一組の複数の同心の噴出可能なインサート（１１，１２）を有し、各インサート（１１，１２）の平均比重が約０．２から約０．４の範囲となるように各インサート（１１，１２）が補強構造（５２，５５）と燃焼室で生じた熱ガスを受ける各インサート（１１，１２）の内壁（１１１，１２１）を区画形成する耐火性材料（５３）とに結合された多孔質の充填材料（５１）を有し、前記インサート（１１，１２）が選択的の切り離し手段（３１１）と結合された堅い固定手段（３１）によって相互に連結され、前記外側分岐部分（１０）に伝達される力を制限するよう各インサート（１１，１２）と前記外側分岐部分（１０）との間に圧力制限手段（２１，２２）が介挿され、外側のインサート（１２）がそれに隣接する内側のインサート（１１）に対して妨害されることなく摺動できるように２つの隣接する同心のインサート（１１，１２）の対面する壁が少なくとも３つの長手方向の摺動通路（６１，６２，６３）が配設された環状間隙（４１）によって相互に離間された本質的に円筒形の部分（１１１，１２２）を有することを特徴とする請求項１に記載のノズル。
【請求項５】
前記噴出可能な同心のインサート（１１，１２）が本質的に円筒形の内壁を有することを特徴とする請求項４に記載のノズル。
【請求項６】
前記内側分岐部分が最も内側のインサート（１２）と同心で該最も内側のインサート（１２）の内側に配設され且つ選択的な切り離し手段と結合された堅い固定手段（３２）によって該最も内側のインサート（１２）に連結されている補助インサート（１３）を有し、該補助インサート（１３）の平均比重が約０．２から約０．４の範囲にあるように該補助インサート（１３）が補強構造（５２，５５）と燃焼室に生じた熱ガスを受ける補助インサート（１３）の流線形の内壁（１３１）を区画形成する耐火性材料（５３）とに結合された多孔質の充填材料（５１）を有し、前記補助インサート（１３）と前記外側分岐部分（１０）との間に圧力制限手段（２３）が介挿され、前記補助インサート（１３）が前記最も内側のインサート（１２）に対して妨害されずに摺動できるように前記最も内側インサート（１２）と前記補助インサート（１３）との対面する壁が少なくとも３つの長手方向の摺動通路（６１，６２，６３）が配設された環状間隙によって相互に離間された本質的に円筒形の部分（１２１，１３２）を有し、前記補助インサート（１３）が前記最も内側のインサート（１２）の内壁（１２１）の上方部分（１２１Ｂ）上にのみ延在していることを特徴とする請求項４又は５に記載のノズル。
【請求項７】
前記圧力制限手段（２１，２２，２３）が作動時に前記外側分岐部分（１０）と前記内側分岐部分との間の半径方向の変形に適合できるカーボンフェルトマット（５６）を有することを特徴とする請求項１から６のうちの１項に記載のノズル。
【請求項８】
前記圧力制限手段（２１，２２，２３）が前記外側分岐部分（１０）に対面する面に溝（２１５）を備えた可撓性のエラストマーマット（２１４）を有することを特徴とする請求項１から６のうちの１項に記載のノズル。
【請求項９】
前記圧力制限手段（２１，２２，２３）が少なくとも１つのシリコーン型のエラストマーＯリング（２１０）を有することを特徴とする請求項１から６のうちの１項に記載のノズル。
【請求項１０】
前記圧力制限手段（２１，２２，２３）が水頭損失をつくり出し且つ間隙を形成するように部分的にのみ漏れを防止するピストンリングの形式のガスケット（２１１）を有することを特徴とする請求項１から６のうちの１項に記載のノズル。
【請求項１１】
前記多孔質の充填材料（５１）が多孔質ハニカム構造の合成材料又は中空の小球が充填された樹脂の形式の合成材料からなることを特徴とする請求項１から１０のうちの１項に記載のノズル。
【請求項１２】
前記耐火性の材料（５３）が燃焼室で生じた熱ガスにさらされる時間に応じてフェノールシリカ、カーボン−カーボン合成物、及びカーボーシリコン炭化合成物から選択された材料からなることを特徴とする請求項１から１１のうちの１項に記載のノズル。
【請求項１３】
前記第１のインサート（１１）の底部分が前記外側分岐部分（１０）の底部周縁部分に形成された対応フランジ（１００）に連結される周縁フランジ（１１０）を区画形成した堅いプレート（１４）を有し、前記フランジ（１１０，１００）の間の連結手段（１０１，１０２）を選択的に破壊するために発火手段（３０１）が設けられていることを特徴とする請求項１から１２のうちの１項に記載のノズル。
【請求項１４】
前記選択的な切り離し手段を起動するために中心に置かれた電気制御手段と、前記選択的な切り離し手段と結合され且つ前記インサート（１１，１２，１３）を最も内側のインサートから又は適当な場合には補助インサート（１３）から始まって段階的に噴出させるタイミング発火フューズとを具備することを特徴とする請求項４から６のうちの１項に記載のノズル。
【請求項１５】
前記連結手段（３０，３１，３２）が隣接する対のインサート（１１，１２）を相互に連結する発火薬（３１３）を備えた爆発性のねじを有することを特徴とする請求項４から６のうちの１項に記載のノズル。
【請求項１６】
前記連結手段が発火したときに前記インサート（１１，１２）を前記外側分岐部分（１０）から離すように持ち上げる適度の温度のガスを発生するように前記連結手段を選択的に破壊する手段と結合された少なくとも幾つかの前記連結手段（３０，３１，３２）が前記外側分岐部分（１０）の近くで前記インサート（１１，１２）に形成された空洞（３２５）に配設された発火薬（３２４）を有する請求項４から６のうちの１項に記載のノズル。
【請求項１７】
少なくとも１つのインサート（１２）が発火により又は発火式分離装置により解放されたスプリングにより展開される引込み可能な手段（４２１）を有し、該引込み可能な手段（４２１）が燃焼室からの前記熱ガスの噴流中に選択的に横断して突入せしめられて前記インサート（１２）を噴出して該インサートの排出を容易ならしめることを特徴とする請求項４から６のうちの１項に記載のノズル。